(57)【要約】【課題】  ワイヤハーネスの誤組み付けを防止するとともにワイヤハーネスを保護できる室内照明灯を提供する。【解決手段】  車両11の内装材13に設けられた開口13ａに取り付け可能なハウジング21のベゼル52にレンズ54が固定された意匠部20と、意匠部20に支持されることにより内装材13の裏面側に配置され、かつ、光源37を備える機能部30と、機能部30に接続される電線W/Hを案内するために設けられた溝状のガイド部26とを有し、ガイド部26の壁部26ａに設けられた切欠部26ｂにクリップ25が配置されている室内照明灯10であって、切欠部26ｂを挟む壁部26ａの先端間が切欠部26ｂを跨ぐように連結されている。すなわち、ガイド部26に設けられているクリップ25のための切欠部26ｂの上部を連結したので、ガイド部26に沿って配策されている電線W/Hが切欠部26ｂからはみ出して噛み込みが生じるのを防止できる。また、ガイド部26に沿って電線を配策することにより誤配線を防止できる。【選択図】  図３
2005125869.tif 000002
【特許請求の範囲】
【請求項１】
車両の内装材に設けられた開口に取り付け可能なハウジングのベゼルにレンズが固定された意匠部と、
前記意匠部に支持されることにより前記内装材の裏面側に配置され、かつ、光源を備える機能部と、
前記機能部に接続される電線を案内するために設けられた溝状のガイド部とを有し、
前記ガイド部の壁部に設けられた切欠部にクリップが配置されている室内照明灯であって、
前記切欠部を挟む前記壁部の先端間が前記切欠部を跨ぐように連結されていることを特徴とする室内照明灯。
【発明の詳細な説明】
【技術分野】
【０００１】
本発明は室内照明灯に係り、例えば自動車のドアや天井等に取り付けられる室内照明灯に関する。
【背景技術】
【０００２】
従来の室内照明灯としては、例えば図５に示すようなものが開示されている（例えば、特許文献１参照）。
この室内照明灯100は、例えばワゴン車のバックドアに取り付けて使用するものであり、照射方向を変えることにより、ワゴン車の後部に設けられているラゲッジルームや開けたバックドアの下方を照らすことができるようになっている。
【０００３】
図５に示すように、この室内照明灯100は、バックドアの壁面を形成するトリム101にランプハウジング102が取り付けられており、このランプハウジング102の前方には円形の開口103が設けられている。この開口103から後方（図５において右方）には、球面状の内面を有するランプ支持部104が設けられており、このランプ支持部104の内側には、部分球面状をしたランプ本体105が所定範囲で３６０度回転自在に設けられている。ランプ本体105の内部にはバルブ106が装着されており、前面（図５において左面）には、ランプハウジング102の開口103から突出するレンズ部107が設けられている。このレンズ部107と開口103との間にスペースＳが設けられており、ランプ本体105の回転量を規制している。
【０００４】
ところで、図６に示すように、前述したような室内照明灯100を車室内に設けて、左右の座席に向けて各々光を照射するようにした室内照明灯110Ａもある。この室内照明灯110Ａでは、機能部本体111の内部に左右座席用に２個の光源であるバルブ112Ｌ，112Ｒを備えている。各バルブバルブ112Ｌ，112Ｒは各々ベゼル113Ｌ，113Ｒに取り付けられており、ベゼル113Ｌ，113Ｒの向きを調整することによって左右の座席における所望の箇所に光線が照射されるようになっている。なお、左右のバルブ112Ｌ，112Ｒの間には、左右のスイッチ114Ｌ，114Ｒ等の電気部品が取り付けられており、スイッチ114ＬはワイヤハーネスＷ／Ｈによって電源に接続されている。
【０００５】
このような室内照明灯110Ａでは、ワイヤハーネスＷ／Ｈの配策経路を誤る（図６に示す配策経路）虞れがあり、電気的には特に問題にならない場合でも、例えばルーフ取付用クリップ115等により噛み込みが生じたりする虞れがあり、ワイヤハーネスＷ／Ｈの収まりの点で不都合が生じる場合がある。
そこで、図７に示す室内照明灯110Ｂのように、ワイヤハーネスＷ／Ｈをガイド部116に沿って配策するようにして、ワイヤハーネスＷ／Ｈの誤組み付けを防止することが行われてきた。
【０００６】
【特許文献１】特開２０００−１１４１号公報（第３頁、第４図）
【発明の開示】
【発明が解決しようとする課題】
【０００７】
しかしながら、前述した室内照明灯110Ｂにおいては、図８に示すように、ガイド部116において取り付けのクリップ115のために切欠き117が設けられているため、この切欠き117からワイヤハーネスＷ／Ｈがはみ出して噛み込む虞れがある。
【０００８】
本発明は、前述した問題点に鑑みてなされたものであり、その目的は、電線の誤組み付けを防止するとともに電線を保護できる室内照明灯を提供することにある。
【課題を解決するための手段】
【０００９】
前述した目的を達成するために、本発明は、車両の内装材に設けられた開口に取り付け可能なハウジングのベゼルにレンズが固定された意匠部と、前記意匠部に支持されることにより前記内装材の裏面側に配置され、かつ、光源を備える機能部と、前記機能部に接続される電線を案内するために設けられた溝状のガイド部とを有し、前記ガイド部の壁部に設けられた切欠部にクリップが配置されている室内照明灯であって、前記切欠部を挟む前記壁部の先端間が前記切欠部を跨ぐように連結されていることを特徴としている。
【００１０】
このように構成された室内照明灯においては、室内照明灯を車両の内装材の開口に取り付けるために、ガイド部に設けられているクリップのための切欠部の上部を連結したので、ガイド部に沿って配策されている電線が切欠部からはみ出して噛み込みが生じるのを防止できる。また、ガイド部に沿って電線を配策することにより誤配線を防止できる。
【発明の効果】
【００１１】
本発明によれば、従来の室内照明灯におけるような、電線を誤配線したり、取り付け時に電線を噛み込む虞れを解消できる。
【発明を実施するための最良の形態】
【００１２】
以下、本発明に係る実施形態を図面に基づいて詳細に説明する。図１は本発明に係る室内照明灯の実施形態を示す分解斜視図、図２は図１においてII方向から見た室内照明灯の背面図、図３は図２においてIII方向から見た斜視図、図４は本発明に係る室内照明灯を車両に取り付けた状態を示す断面図である。
【００１３】
図１に示すように、本発明の実施形態である室内照明灯10は、車室内12（図４参照）に露出する意匠部20と、この意匠部20の内側にあって、各種電気部品等が取り付けられている本体としての機能部本体30とを有している。
図４に示すように、この室内照明灯10は、意匠部20を車両11の内側に設けられている内装材（トリム）13の開口13ａに取り付けることにより取り付けられており、あらかじめ内装材13の裏側に配線されている電線としてのワイヤハーネスＷ／Ｈに接続される。
【００１４】
図１から図３に示すように、意匠部20は、表面21ａが車室内12に露出する例えば矩形状をしたハウジング21を有しており、このハウジング21の中央部には左右のスイッチ51Ｌ、51Ｒを車室内12に露出させるためのスイッチ穴22Ｌ、22Ｒが設けられている。また、ハウジング21の左右部分には、左右のランプ50Ｌ、50Ｒを車室内12に露出させるためのランプ穴23Ｌ，23Ｒが設けられている。各ランプ穴23Ｌ，23Ｒには、機能部としての機能部本体30をハウジング21に取り付けるための略円柱状の取付部24が、ハウジング21の裏面21ｂから内側に向かって設けられている。
【００１５】
図１から図３に示すように、機能部本体30は全体長円形のフレーム状部材であり、左右両端部にはランプ50Ｌ、50Ｒを収容するランプ収容穴31Ｌ、31Ｒを有している。また、機能部本体30の中央部には、両ランプ収容穴31Ｌ、31Ｒの間に、スイッチ51Ｌ、51Ｒを取り付けるためのスイッチ収容部32Ｌ、32Ｒを有している。なお、スイッチ51Ｌ、51Ｒは、その接続端子にワイヤハーネスＷ／Ｈの先端に取り付けられているコネクタ14を取り付けることにより、容易に着脱可能となっている（図４参照）。
【００１６】
機能部本体30における左右のランプ収容穴31Ｌ、31Ｒの間で、スイッチ51Ｌ、51Ｒの前方（図２において上方）には、ワイヤハーネスＷ／Ｈを案内する壁状のガイド部26が立設されている。ガイド部26は壁部26ａを備えており、この壁部26ａに沿ってワイヤハーネスＷ／Ｈを配策することにより、ワイヤハーネスＷ／Ｈの誤配策を防止できる。このガイド部26の左右両端部付近には切欠き26ｂが各々設けられており、この切欠き26ｂの内部には、室内照明灯10を天井の内装材13に取り付けるためのクリップ25が各々設けられている。なお、切欠部26ｂを挟む壁部26ａの先端間が、切欠部26ｂを跨ぐように連結されているので、ワイヤハーネスＷ／Ｈをガイド部26に沿って配策した際に、従来のように切欠き26ｂからワイヤハーネスＷ／Ｈが飛び出るという問題点を解決できる。
【００１７】
両ランプ収容穴31Ｌ、31Ｒの縁には、ランプ50Ｌ、50Ｒを支持する支持部としての円形のリング部材33が各々設けられている。各リング部材33には機能部本体30の裏側（図１において右側）に突出した円柱状のガイド部材38が設けられており、左右のガイド部材38は対向する部分が切り欠かれていて、スイッチ51Ｌ，51Ｒや光源であるバルブ37等の各種電気部品が装着可能となっている。ガイド部材38は、装着される全ての電気部品等よりも背が高く、電気部品等が車両11に衝突するのを防止する働きがある。左右のガイド部材38の内部には各々バルブ37が取り付けられるようになっている。なお、バルブ37の後方（図３において上方）には反射板37ａが設けられており、バルブ37から発せられる光を効率よく所望の方向へ照射できるようになっている。
【００１８】
図１および図３に示すように、リング部材33の内周面を例えば３等分した位置には、摺接部材34を取り付けるための摺接部材取付凹部35が設けられており、摺接部材34を摺接部材取付凹部35に差し込んで取り付ける。
摺接部材34は、金属製の弾性を有する略Ｔ字状の部材であり、常時球面52ａに弾性力により押圧されている。なお、摺接部材34は、樹脂製であってもよく、略Ｔ字状以外の形状であってもよい。
【００１９】
図１および図３に示すように、ランプ収容穴31Ｌ、31Ｒのリング部材33の外側には案内部36が一段突出して設けられている。この案内部36の外側面は、摺接部材34を摺接部材取付凹部35に嵌入して取り付けた際に、隣接する摺接部材34間を同心円状に埋めるものであり、摺接部材34による摺動面の先端を結ぶ同心円（球面52ａ）よりも内側に位置するように設けられている。
また、リング部材33の外側面には、機能部本体30を取り付けるための係止爪39が適宜の間隔で複数個設けられている。従って、係止爪39とリング部材33との間に意匠部20の取付部24を挟むことにより、機能部本体30と意匠部20のハウジング21とを結合している。
【００２０】
図１に示すように、意匠部20と機能部本体30との間には、左右のランプ50Ｌ，50Ｒが取り付けられている。なお、左右のランプ50Ｌ，50Ｒは同じものなので、以下の説明においては特に必要な場合を除き、単にランプ50として説明する。
ランプ50は、外ベゼル52、内ベゼル53、レンズ54等を有しており、バルブ37から発せられる光線をレンズ54を介して所定の方向へ照射するものである。
【００２１】
外ベゼル52は、先端部分が意匠部20のランプ穴23Ｌ，23Ｒから車室内12に突出する大きさであり、全体部分球状をしていて内面には凹状の球面52ａが形成されている。また、中央にはレンズ54が嵌る窓52ｂを有している。
内ベゼル53は、円柱状のベゼル本体53ａと、このベゼル本体53ａにヒンジ53ｃを介して開閉自在に設けられているレンズ押え53ｂとを有している。従って、レンズ54の凸面をベゼル本体53ａの後端部に嵌め、レンズ押え53ｂを閉じることにより、レンズ54は二重係止されている。
【００２２】
左右のランプ50Ｌ，50Ｒは、各々機能部本体30のランプ収容穴31Ｌ，31Ｒに回動自在かつ所定位置に固定可能に取り付けられている。すなわち、機能部本体30に取り付けられている３個の摺接部材34が外ベゼル52の内側に位置し、弾性的に球面52ａに押圧されることにより、外ベゼル52は機能部本体30に対して回動可能かつ所望の位置に固定可能となる。
【００２３】
以上、前述した室内照明灯10によれば、ワイヤハーネスＷ／Ｈをガイド部２６の壁部26ａに沿って配策することにより、誤配策を防止できる。また、クリップ25を設けるためにガイド部26に設けられている切欠部26ｂを上端部において連結したので、ガイド部26の強度を増すことができるとともに、配策されているワイヤハーネスＷ／Ｈが切欠部26ｂから飛び出すのを防止できる。これにより、室内照明灯10の取り付けによるワイヤハーネスＷ／Ｈの噛み込みを防止できる。
【００２４】
なお、本発明の室内照明灯10は、前述した実施形態に限定されるものでなく、適宜な変形，改良等が可能である。
例えば、前述した実施形態においては、ガイド部26の両端部に２個のクリップ25を設けた場合について説明したが、クリップ25の数はこれに限るものではない。
また、左右一対のランプ50Ｌ、50Ｒを有する場合について説明しているが、ランプ50の数は任意である。従って、ランプ穴23の数およびスイッチ穴22の数はランプ50の数に対応するものであり、適宜に変化するものである。
【００２５】
その他、前述した実施形態において例示した摺接部材，外ベゼル，内ベゼル，機能部本体，意匠部フレーム等の材質，形状，寸法，形態，数，配置個所等は本発明を達成できるものであれば任意であり、限定されない。
【図面の簡単な説明】
【００２６】
【図１】本発明に係る室内照明灯の実施形態を示す分解斜視図である。
【図２】図１においてII方向から見た室内照明灯の背面図である。
【図３】図２においてIII方向から見た斜視図である。
【図４】本発明に係る室内照明灯を車両に取り付けた状態を示す断面図である。
【図５】従来の室内照明灯の一例を示す断面図である。
【図６】従来の室内照明灯の別の例において誤配線をした状態を示す背面図である。
【図７】図６の室内照明灯において適正な配線をした状態を示す背面図である。
【図８】従来の問題点を示す斜視図である。
【符号の説明】
【００２７】
10  室内照明灯
11  車両
13  内装材
13ａ  開口
20  意匠部
25  クリップ
26  ガイド部
26ａ  壁部
26ｂ  切欠部
30  機能部本体（機能部）
37  バルブ（光源）
52  ベゼル
54  レンズ
Ｗ／Ｈ  ワイヤハーネス（電線）
【図１】
2005125869.tif 000003
【図２】
2005125869.tif 000004
【図３】
2005125869.tif 000005
【図４】
2005125869.tif 000006
【図５】
2005125869.tif 000007
【図６】
2005125869.tif 000008
【図７】
2005125869.tif 000009
【図８】
2005125869.tif 000010